(57)【要約】【課題】内圧が高い陽圧缶に用いた場合の開蓋時における開放音を抑制できる開口容易缶蓋を提供する。【解決手段】外周に缶胴固着用のフランジ部が一体成形されているパネル部と、パネル部の周辺部に形成されたスコア線によって区画された開口片と、開口片の周辺部に形成されたリベット部８に固着された開口用タブと、リベット部８の周囲のうち前記パネル部の中央側の部分を囲むように形成され、前記開口用タブの持ち上げ時に破断する補助スコア線１８とを有する開口容易缶蓋において、リベット部８の中心と前記開口用タブの先端とを通る直線を直線Ｘとしたとき、前記補助スコア線１８のうち、前記直線Ｘと交差する箇所から、前記直線Ｘと直交する方向に１〜６ｍｍ離れた範囲に、前記直線Ｘと交差する箇所の前記補助スコア線１８の残厚よりも、残厚の厚いスコア段差部２０が形成されている。【選択図】図３
2012131518.tif 000002
【特許請求の範囲】
【請求項１】
外周に缶胴固着用のフランジ部が一体成形されているパネル部と、前記パネル部の周辺部に形成されたスコア線によって区画された開口片と、前記開口片の周辺部に形成されたリベット部に固着された開口用タブと、前記リベット部の周囲のうち前記パネル部中央側の部分を囲むように形成され、前記開口用タブの持ち上げ時に破断する補助スコア線とを有する開口容易缶蓋において、
前記リベット部の中心と前記開口用タブの先端とを通る直線を直線Ｘとしたとき、前記補助スコア線のうち、前記直線Ｘと交差する箇所から、前記直線Ｘと直交する方向に１〜６ｍｍ離れた範囲に、前記直線Ｘと交差する箇所の前記補助スコア線の残厚よりも、残厚の厚いスコア段差部が形成されていることを特徴とする開口容易缶蓋。
【請求項２】
前記スコア段差部の残厚が、前記直線Ｘと交差する箇所の補助スコア線の残厚よりも５０〜１００μｍ厚いことを特徴とする請求項１に記載の開口容易缶蓋。
【請求項３】
前記補助スコア線の縦断面形状が、第１の凹部と、前記第１の凹部の底面に形成され、前記第１の凹部の底面よりも深く、且つ、幅が狭い底面を有する第２の凹部とを有するように形成されていることを特徴とする請求項１又は２に記載の開口容易缶蓋。
【発明の詳細な説明】
【技術分野】
【０００１】
本発明は、タブを引き上げることにより開口させることのできる開口容易缶蓋に関し、特に全面的に開口するタイプの開口容易缶蓋において、開蓋時に内圧が開放されることによる内圧開放音の発生を抑制する技術に関するものである。
【背景技術】
【０００２】
従来、果実缶詰や魚肉缶詰等の固形物を内容物とする食品用缶詰に使用される缶蓋として、缶蓋のパネル部が全面的に開口するフルオープンタイプの缶蓋が多用されている。このようなフルオープンタイプの缶蓋の一例が特許文献１に記載されており、このタイプの缶蓋は、パネル部の周辺部に形成されて開口片を区画する環状スコア線の他に、開口用タブを取り付けるためのリベット部の周辺に形成された補助スコア線を備えている。
【０００３】
この補助スコアは、開口の初期操作において、タブの指掛け部に指を掛けてタブを持ち上げた際に、タブの先端部を支点とし、またタブの指掛け部を力点とし、リベット部を作用点とする第二種の挺子作用により破断する。この補助スコア線の破断により、リベット部周辺のパネル部が変形し易くなり、タブの持ち上げ部の持ち上げが容易となる。このような補助スコア線の破断の状態から更に、タブを持ち上げると、リベットを支点とし、またタブの指掛け部を力点とし、タブの先端部を作用点とする第一種の挺子作用により、タブの先端部付近の環状スコア線が破断する。その後、タブの指掛け部を上方に引き上げることに伴って環状スコア線が円周方向に剪断されて行き、缶蓋から開口片が取り外される。
【先行技術文献】
【特許文献】
【０００４】
【特許文献１】特開２００４−１６１３６０号公報
【発明の概要】
【発明が解決しようとする課題】
【０００５】
このような補助スコア線の破断と環状スコア線の初期破断は、タブを持ち上げる一連の動作において生じるものであるため、時間的には、短時間に連続して生じる。そのため、このようなフルオープンタイプの缶蓋を、内容物がビールや炭酸飲料などの容器内圧が陽圧となる飲料用の缶詰の蓋として使用した場合、タブを持ち上げて補助スコア線と環状スコア線とが破断した際に、補助スコア線と環状スコア線との両方の開口箇所から内圧が開放されるため、非常に大きな内圧開放音が生じる虞がある。
【０００６】
本発明は、上記課題に鑑みてなされたもので、開蓋時の内圧開放時の音の発生を抑制できる開口容易缶蓋を提供することを目的とするものである。
【課題を解決するための手段】
【０００７】
上記の目的を達成するために、請求項１の発明は、外周に缶胴固着用のフランジ部が一体成形されているパネル部と、前記パネル部の周辺部に形成されたスコア線によって区画された開口片と、前記開口片の周辺部に形成されたリベット部に固着された開口用タブと、前記リベット部の周囲のうち前記パネル部中央側の部分を囲むように形成され、前記開口用タブの持ち上げ時に破断する補助スコア線とを有する開口容易缶蓋において、前記リベット部の中心と前記開口用タブの先端とを通る直線を直線Ｘとしたとき、前記補助スコア線のうち、前記直線Ｘと交差する箇所から、前記直線Ｘと直交する方向に１〜６ｍｍ離れた範囲に、前記直線Ｘと交差する箇所の前記補助スコア線の残厚よりも、残厚の厚いスコア段差部が形成されていることを特徴とするものである。
【０００８】
請求項２の発明は、請求項１の発明の構成に加えて、前記スコア段差部の残厚が、前記直線Ｘと交差する箇所の補助スコア線の残厚よりも５０〜１００μｍ厚いことを特徴とするものである。
【０００９】
請求項３の発明は、請求項１又は２の発明の構成に加えて、前記補助スコア線の縦断面形状が、第１の凹部と、前記第１の凹部の底面に形成され、前記第１の凹部の底面よりも深く、且つ、幅が狭い底面を有する第２の凹部とを有するように形成されていることを特徴とするものである。
【発明の効果】
【００１０】
請求項１の発明によれば、リベット部の中心と開口用タブの先端とを通る直線を直線Ｘとしたとき、補助スコア線のうち、直線Ｘと交差する箇所から、直線Ｘと直交する方向に１〜６ｍｍ離れた範囲に、直線Ｘと交差する箇所の補助スコア線の残厚よりも、残厚の厚いスコア段差部が形成されていることにより、タブを持ち上げて補助スコア線が破断される際に、残厚の厚いスコア段差部が抵抗となり、一旦、スコア段差部の手前で補助スコア線の破断が停止又は破断速度が低下させられる。そのため、補助スコア線の全範囲が破断する前に、破断開口した狭い範囲から内圧が開放されるため、内圧開放時の音の発生を抑制することができる。
【００１１】
請求項２の発明によれば、スコア段差部の残厚が、直線Ｘと交差する箇所の補助スコア線の残厚よりも５０〜１００μｍ厚いことにより、補助スコア線の破断の進行をスコア段差部の箇所で確実に一旦停止させることができる。そのため、補助スコア線の初期段階の破断による開口範囲あるいは開口面積を狭くすることができ、その結果、確実に内圧開放時の音の発生を抑制することができる。
【００１２】
請求項３の発明によれば、補助スコア線の縦断面形状が、第１の凹部と、該第１の凹部の底面に形成され、第１の凹部の底面よりも深く、且つ、幅が狭い底面を有する第２の凹部とを有するように形成されていることにより、補助スコア線の成形時の応力を、開蓋時に破断する第２の凹部よりも底面の幅の広い第１の凹部の成形により分散させることができる。そのため、成形応力の集中による補助スコア線のくびれや損傷の発生による強度の低下を防止でき、その結果、スコア段差部による補助スコア線の破断の進行を停止する効果を十分に生じさせることができる。
【図面の簡単な説明】
【００１３】
【図１】本発明に係る開口容易缶蓋の一例を示す平面図である。
【図２】そのパネル部の中心とリベット部の中心とを結んだ線に沿う断面図である。
【図３】補助スコア線およびそのスコア段差部を示す部分拡大図である。
【図４】補助スコア線の断面形状を示す図である。
【発明を実施するための形態】
【００１４】
本発明に係る開口容易缶蓋１は、飲料や食品用の缶容器の蓋であり、開口部が全面的に開口するフルオープンタイプの缶蓋である。この開口容易缶蓋１は、合成樹脂製の塗膜やフィルムからなる保護被膜により被覆されたアルミニウム合金や表面処理鋼板等の金属製薄板からプレス成形されるものであって、図１および図２に示すように、円板状のパネル部２と、そのパネル部２の周縁部に接続され、パネル部２から下方に凹んだ環状溝部３を有するカウンターシンク部４と、カウンターシンク部４の周縁部に接続され、缶胴（図示せず）との巻締固着部分となるフランジ部５とが一体的に形成された缶蓋本体６を有し、その缶蓋本体６とは別体に形成された開口操作用のタブ７が、パネル部２の周辺付近に形成されたリベット部８によって缶蓋本体６に固着されている。また、フランジ部５の裏面側には、有機高分子製のシール剤（図示せず）が塗布されて付着されている。
【００１５】
そのような缶蓋の中央部分である円板状のパネル部２の周辺部には、円形状の破断容易な環状スコア線９が形成されており、環状スコア線９により開口片２Ａが区画されている。環状スコア線９は、幅が広くかつ浅い台形形状の第１の凹部と、その第１の凹部の底面の中央部分に形成され、第１の凹部の底面よりも深く、且つ、幅が狭い底面を有する台形形状（くさび状）の第２の凹部とを有する形状に形成されている。タブ７による開口操作時には、第２の凹部の底面が破断するように構成されている。この第１の凹部を形成することにより、環状スコア線９の成形時の応力の集中を緩和し、環状スコア線９の成形箇所にくびれや損傷が生じることを防止することができる。なお、環状スコア線９は、閉じた環状に設けられていなくても良く、部分的に切り欠かれて一部が開いた円弧形状に設けられていても良い。
【００１６】
パネル部２のうち、環状スコア線９に隣接する箇所で、且つ、環状スコア線９の缶蓋半径方向外方及び内方には、図２に示すように、金属板を多重に折り畳んだ縦断面Ｓ字状の重層部１０がそれぞれ形成されている。環状スコア線９に対して缶蓋半径方向外方に位置する外側重層部１０ａは、環状スコア線９の上方に位置する外側保護部を有しており、外側保護部の先端は、環状スコア線９が破断された後に、環状スコア線９のフランジ部５側の破断端を保護するように形成されている。また、環状スコア線９に対して缶蓋半径方向内方に位置する内側重層部１０ｂは、環状スコア線９の下方に位置する内側保護部を有しており、内側保護部の先端は、環状スコア線９が破断された後に、環状スコア線９の開口片２Ａ側の破断端を保護するように形成されている。
【００１７】
パネル部２の開口片２Ａには、パネル部２に剛性を付与すると共にタブ７の指掛け部１１の下方に隙間を形成するための指掛け用凹部１２が形成され、その指掛け用凹部１２を挟むように、タブ７の軸線方向に直交するリブ状の凹ビード部１３が２本形成されている。凹ビード部１３は、内側重層部１０ｂ付近まで形成されており、また、内側重層部１０ｂの上面側には、凹ビード部１３の延長線上に延在するように、縦断面Ｖ字状に内側重層部１０ｂを押し潰して形成された弱化部１４が形成されている。この凹ビード部１３と弱化部１４とに沿って、開口片２Ａは折れ曲がりやすくなるように構成されている。
【００１８】
環状スコア線９は、タブ７の先端から遠い側の弱化部１４の形成箇所よりも、タブ７の先端から離れた範囲において、環状スコア線９の底部の厚み（残厚）が厚くなっている。これにより、開蓋時に環状スコア線９が破断される際に、タブ７の先端とパネル部２の中心を挟んで反対側の範囲では、残厚が厚い箇所が破断に対する抵抗となるため、その箇所で開蓋動作を止めることができる。尚、この残厚の厚い箇所は、より強い力でタブ７を引き上げることによって破断させることができるため、環状スコア線９を全周で破断させて開口片２Ａを完全に取り外すことができるように構成されている。
【００１９】
また、その他に、パネル部２には、パネル部２に剛性を付与するための短いリブ状のビード１５や、タブ７の下面に当接する一対のドーム状の凸部１６や、タブ７の周囲に配置されるドーム状の凸部１７が形成されている。
【００２０】
さらに、リベット部８を挟んでタブ７の先端部とは反対側で、且つ、リベット部８の近傍には、タブ７を起こすときにパネル部２のタブ７の先端部に近接した部分を下方に折り曲げ易くするための破断可能な補助スコア線１８が形成されている。また、補助スコア線１８の成形時に応力の集中により、補助スコア線１８の部分のくびれや損傷を防ぐために、タブ７の引き上げ時に破断されない副スコア線１９が形成されている。副スコア線１９は、補助スコア線１８と一定の間隔を空けて平行に形成されている。これらの補助スコア線１８および副スコア線１９の形状を図３に拡大して示してある。
【００２１】
この補助スコア線１８と副スコア線１９も、環状スコア線９と同様に、幅が広くかつ浅い台形形状の第１の凹部と、その第１の凹部の底面の中央部分に形成され、第１の凹部の底面よりも深く、且つ、幅が狭い底面を有する台形形状（くさび状）の第２の凹部とを有する形状に形成されており、タブ７による開口操作時には、補助スコア線１８の第２の凹部の底面が破断するように構成されている。
【００２２】
本発明では、リベット部８の中心とタブ７の先端とを通る直線を直線Ｘとした時、補助スコア線１８は、直線Ｘと直交する方向に向けて延びた状態に形成されている。具体的には、図３に示すように、補助スコア線１８は、リベット部８の周辺部に沿うように、缶蓋半径方向内方に向かって凸となるように円弧状、言い換えればリベット部８の中心を曲率中心とした円弧状に湾曲する内向き曲線部１８Ａと、内向き曲線部１８Ａの両端にそれぞれ接続され、缶蓋半径方向外方に向かって凸となるように円弧状、言い換えれば、補助スコア線１８を挟んでリベット部８とは反対側の所定箇所を曲率中心とする円弧状に湾曲する外向き曲線部１８Ｂとを有している。
【００２３】
したがって、上述した構成では、最初にタブ７を持ち上げた際には、第二種の挺子作用により、補助スコア線１８のうち、直線Ｘと交差する箇所が破断始点Ｐとして破断し、そこから内向き曲線部１８Ａが破断し、次いで連続して外向き曲線部１８Ｂが破断する。尚、外向き曲線部１８Ｂの端部の延長線上には、ドーム状の凸部１７が配置されており、補助スコア線１８の破断時に、外向き曲線部１８Ｂの端部に亀裂が生じてもドーム状の凸部１７により亀裂の進行を止めることができる。
【００２４】
本発明では、補助スコア線１８の一部に、補助スコア線１８の残厚を部分的に厚くしたスコア段差部２０を形成している。図４の（ａ）は補助スコア線１８のうちスコア段差部２０での断面形状を示し、（ｂ）はそれ以外の部分での断面形状を示している。スコア段差部２０は、直線Ｘと補助スコア線１８とが交差する破断始点Ｐから直線Ｘと直交する方向に１〜６ｍｍ離れた範囲、好ましくは、１．５〜４ｍｍ離れた範囲に形成されている。スコア段差部２０は、この所定範囲の全域に連続して形成されている必要はなく、スコア段差部２０の破断始点Ｐ側の端部が、この所定範囲内に形成されていれば良い。また、スコア段差部２０の残厚は、破断始点Ｐの残厚よりも、５０〜１００μｍの範囲で厚くなるように形成されている。通常の残厚の部分とスコア段差部２０との接続部分には、徐々に残厚が変化するスコア傾斜部が形成されている。このスコア傾斜部の範囲は、直線Ｘと直交する方向の距離で０．０５〜０．５ｍｍに設定されており、通常の残厚の部分からスコア段差部２０への残厚の変化を急激に生じさせ、スコア段差部２０が補助スコア線１８の破断時の抵抗として作用し易いように構成されている。
【００２５】
本実施例では、スコア段差部２０は、破断始点Ｐの両側２箇所に、破断始点Ｐから直線Ｘと直交する方向の距離で２〜４．６ｍｍ離れた範囲に連続的に形成され、破断始点Ｐの残厚が１００μｍで、スコア段差部２０の残厚が１７０μｍとなっており、破断始点Ｐの残厚よりもスコア段差部２０の残厚が７０μｍ厚くなるように設定されている。また、スコア段差部２０の破断始点Ｐ側の端部は、補助スコア線１８の内向き曲線部１８Ａと外向き曲線部１８Ｂとの接続部近傍に位置している。尚、補助スコア線１８の幅は、破断始点Ｐでは、第１の凹部１８ａの底面の幅が０．４ｍｍで、第２の凹部１８ｂの底面の幅が０．０２ｍｍに設定され、スコア段差部２０では、第１の凹部２０ａの底面の幅は、破断始点Ｐと同様に０．４ｍｍで、第２の凹部２０ｂの底面の幅が０．０８５ｍｍに設定されている。
【００２６】
本実施例の缶蓋によれば、最初にタブ７を持ち上げると、第二種の挺子作用により、補助スコア線１８のうち、直線Ｘと交差する箇所からスコア段差部２０の端部に到達するまでの範囲の補助スコア線１８が連続して破断し、スコア段差部２０の端部の箇所で補助スコア線１８の破断が一旦停止する。この時、補助スコア線１８の破断により形成された開口部から容器内圧が開放され、比較的小音量の内圧開放音が発生する。そこからさらに、タブ７を持ち上げると、スコア段差部２０が破断すると共に、環状スコア線９が、第一種の挺子作用により初期破断する。尚、環状スコア線９が初期破断する前に、すでに内圧は開放され終わっているので、環状スコア線９の初期破断時には、内圧開放音は発生しない。その後、タブ７を上方に引き上げると、環状スコア線９が周方向に剪断されていき、缶蓋が開口される。
【００２７】
このような本発明に係る開口容易缶蓋によれば、リベット部８の中心と開口用タブ７の先端とを通る直線を直線Ｘとしたとき、補助スコア線１８のうち、直線Ｘと交差する箇所から、直線Ｘと直交する方向に１〜６ｍｍ離れた範囲に、直線Ｘと交差する箇所の補助スコア線１８の残厚よりも、残厚の厚いスコア段差部２０が形成されていることにより、タブ７を持ち上げて補助スコア線１８が破断される際に、残厚の厚いスコア段差部２０が抵抗となり、一旦、スコア段差部２０の手前で補助スコア線１８の破断が停止又は破断速度が低下させられるため、補助スコア線１８の全範囲が破断する前に、破断開口した狭い範囲から内圧を開放することができ、そのため、内圧開放時の音の発生を抑制することができる。
【００２８】
すなわち、スコア段差部２０の位置が、補助スコア線１８が直線Ｘと交差する箇所から直線Ｘと直交する方向に１ｍｍ離れた位置よりも近い場合、補助スコア線１８の破断始点Ｐとスコア段差部２０の位置とが近すぎて、補助スコア線１８の初期破断に必要な力が大きくなり、開蓋性が悪くなる虞がある。一方、スコア段差部２０の位置が、補助スコア線１８と直線Ｘとが交差する箇所から直線Ｘと直交する方向に６ｍｍ離れた位置よりも遠い場合、補助スコア線１８の破断時に、補助スコア線１８の破断がスコア段差部２０に到達する前に、補助スコア線１８の開口領域が広くなり、補助スコア線１８からの内圧開放音が大きくなったり、補助スコア線１８の破断から環状スコア線９の初期破断までが一気に生じ、補助スコア線１８と環状スコア線９との両方の開口箇所から内圧が開放されて、非常に大きな内圧開放音が生じたりする虞がある。
【００２９】
また、スコア段差部２０の残厚が、直線Ｘと交差する箇所の補助スコア線１８の残厚よりも５０〜１００μｍ厚いことにより、補助スコア線１８の破断の進行をスコア段差部２０の箇所で確実に一旦停止させることができるため、補助スコア線１８の初期段階の破断による開口範囲を狭くすることができ、その結果、確実に内圧開放時の音の発生を抑制することができる。
【００３０】
すなわち、スコア段差部２０の残厚と、直線Ｘと交差する箇所の補助スコア線１８の残厚との差が、５０μｍよりも小さいと、スコア段差部２０による補助スコア線１８の破断の停止が十分に行われない虞があり、一方、１００μｍよりも厚いと、スコア段差部２０の残厚が厚すぎて開蓋性が低下する虞がある。
【００３１】
さらに、補助スコア線１８の縦断面形状が、第１の凹部１８ａ，２０ａと、該第１の凹部１８ａ，２０ａの底面に形成され、第１の凹部１８ａ，２０ａの底面よりも深く、且つ、幅が狭い底面を有する第２の凹部１８ｂ，２０ｂとを有するように形成されていることにより、補助スコア線１８の成形時の応力を、開蓋時に破断する第２の凹部１８ｂ，２０ｂよりも底面の幅の広い第１の凹部１８ａ，２０ａの成形により分散することで応力集中を防止もしくは緩和することができるため、成形応力による補助スコア線１８のくびれや損傷の発生による強度の低下を防止でき、その結果、スコア段差部２０による補助スコア線１８の破断の進行を停止する効果を十分に生じさせることができる。
【符号の説明】
【００３２】
１…開口容易缶蓋、  ２…パネル部、  ２Ａ…開口片、  ７…タブ、  ８…リベット部、  ９…環状スコア線、  １７…凸部、  １８…補助スコア線、  １９…副スコア線、  Ｐ…破断始点、  ２０…スコア段差部、  １８ａ，２０ａ…第１の凹部、  １８ｂ，２０ｂ…第２の凹部。
【図１】
2012131518.tif 000003
【図２】
2012131518.tif 000004
【図３】
2012131518.tif 000005
【図４】
2012131518.tif 000006